(57)【特許請求の範囲】
【請求項１】
原稿のサイズを検知し、検知した原稿のサイズに応じて用紙を選択し、選択した用紙に原稿の画像を形成する画像形成装置において、
原稿台上の原稿に光を照射する光源と、
前記光源により光が照射された前記原稿台上の原稿の画像を読み込む画像読込手段と、
前記原稿台に対して開閉可能な原稿台カバーと、
前記原稿台カバーの開閉を検知する検知手段と、
画像形成が行われるべき用紙が収納された複数の給紙部のうちいずれかを設定する給紙部設定及び画像読み込みの開始指示を行うための操作部と、
前記原稿台カバーが開いていることが前記検知手段により検知された状態で前記操作部から前記開始指示がなされた場合に、前記操作部から前記給紙部設定がなされていなければ前記光源を点灯させて前記画像読込手段の出力に基づいた原稿サイズ検知を行って前記画像読込手段により前記原稿台上の原稿の読み込みを行わせ、前記操作部から前記給紙部設定がなされていれば前記原稿サイズ検知を行わずに前記画像読込手段により前記原稿台上の原稿の読み込みを行わせる制御手段と
を有することを特徴とする画像形成装置。
【発明の詳細な説明】
【０００１】
【発明の属する技術分野】
本発明は、画像形成装置に関し、特に、原稿台に対して開閉可能な原稿台カバーを備えるとともに、原稿サイズを自動的に検知することが可能な画像形成装置に関する。
【０００２】
【従来の技術】
一般に、電子複写機等の画像形成装置においては、原稿台に原稿を載置し、その原稿を光学装置により走査し、その画像の走査光をミラーやレンズ等を介して画像担持体（感光ドラム）に照射して、画像の形成を行うようにしている。
【０００３】
前記画像形成装置においては、原稿の走査光を、直接画像担持体に伝達する方式の他に、スキャナ部とプリンタ部とに分けて、スキャナ部において、原稿の走査光を光電変換素子（ＣＣＤ）等を用いてデジタル信号に変換し、これをプリンタ部に出力する方式もある。
【０００４】
ところで、画像形成装置では、原稿サイズを正確に検知し、その原稿サイズと、予め設定された縮拡率等の情報とに応じて、用紙を選択して画像形成を行う必要である。
【０００５】
従来、スキャナ部において原稿サイズを検知する方式には多種多様なものがある。その中で、例えば特開平５−２０７２３９号公報によって開示される方式では、原稿画像の読み取りに先立って、原稿先端部を光源で照射し、原稿からの反射光を、主走査方向に展開される光電変換素子で読み取って原稿の幅情報を得、また、副走査方向の所定位置に配置された少なくとも１つの原稿有無検知手段によって、該所定位置に原稿が存在するか否かの情報を得、これら２つの情報を基に、所定の複数の定型サイズのうち、いずれのサイズの原稿が読み取り対象となっているかを決定する。
【０００６】
このように、主走査方向の原稿幅を光電変換素子を流用して検出し、かつ、副走査方向の原稿長さに相当する情報を原稿有無検知手段によって得、これらを基に原稿サイズを判定するようにしているので、低コストで、且つ効率的な原稿サイズ自動検知が可能となっている。
【０００７】
【発明が解決しようとする課題】
しかしながら、上述のような従来の原稿サイズ検知方式では、他の原稿サイズ検知方式に比べて、光源の点灯、光電変換素子による画像領域読み込み、原稿サイズ検知判定といった処理が増えるので、迅速な読取処理が必要な場合には問題があった。
【０００８】
すなわち、自動原稿搬送装置を使用して原稿台に、サイズの異なる複数の原稿を自動搬送する場合においては、原稿サイズ検知は必須の機能である。しかし、自動原稿搬送装置を備えているが自動原稿搬送装置を使用せず、つまり原稿を上から固定する圧板を開いた状態にし、且つ、例えば手動によって原稿サイズを入力して画像読取処理を行いたいときでも、従来、原稿サイズ検知が一律に行われてしまい、そのため、読取処理を迅速に行えないという問題があった。
【０００９】
本発明はこのような問題点に鑑みてなされたものであって、原稿台カバーが開いている状態で原稿サイズ検知を可能としつつ、原稿サイズ検知が不要な場合には、開始指示から原稿の読み込み開始までの時間を短縮することを可能とした画像形成装置を提供することを目的とする。
【００１０】
【課題を解決するための手段】
上記目的を達成するために、本発明は、原稿のサイズを検知し、検知した原稿のサイズに応じて用紙を選択し、選択した用紙に原稿の画像を形成する画像形成装置において、原稿台上の原稿に光を照射する光源と、前記光源により光が照射された前記原稿台上の原稿の画像を読み込む画像読込手段と、前記原稿台に対して開閉可能な原稿台カバーと、前記原稿台カバーの開閉を検知する検知手段と、画像形成が行われるべき用紙が収納された複数の給紙部のうちいずれかを設定する給紙部設定及び画像読み込みの開始指示を行うための操作部と、前記原稿台カバーが開いていることが前記検知手段により検知された状態で前記操作部から前記開始指示がなされた場合に、前記操作部から前記給紙部設定がなされていなければ前記光源を点灯させて前記画像読込手段の出力に基づいた原稿サイズ検知を行って前記画像読込手段により前記原稿台上の原稿の読み込みを行わせ、前記操作部から前記給紙部設定がなされていれば前記原稿サイズ検知を行わずに前記画像読込手段により前記原稿台上の原稿の読み込みを行わせる制御手段とを有することを特徴とする。
【００１９】
【発明の実施の形態】
以下、本発明の実施の形態を、図面を参照して説明する。
【００２０】
図１は、本発明に係る画像読取装置（スキャナ）の構成を示す断面模式図である。
【００２１】
スキャナ部は、原稿１０１を載置する原稿台ガラス１０２、原稿面に対して光を照射するランプ１０５、原稿１０１によって反射されたランプ１０５からの光を反射するミラー１０６、ランプ１０５とミラー１０６を配置する光学台１０７、ミラー１０６によって反射された光をレンズ１１１に向けるミラー１０８、１０９、ミラー１０８、１０９を配置する光学台１１０、光学台１１０によって導かれる原稿面からの光を集光するレンズ１１１、レンズ１１１によって集光された原稿面からの光を受けて光電変換を行う光電変換素子（以下「ＣＣＤ」という）１１２を有し、更に、原稿台ガラス１０２に載置された原稿１０１の副走査方向の原稿サイズを検知するため、原稿の有無を２値で出力する原稿サイズ検知センサ１１３を有する。原稿サイズ検知センサ１１３の設置位置については、図３を参照して後述する。これら各部は筐体１１４に配置される。
【００２２】
図２は、スキャナ部の動作制御を行う制御部の構成を示すブロック図である。
【００２３】
制御部は、ＣＣＤ１１２の出力信号をアナログ／デジタル変換するＡ／Ｄ変換回路２０１、光学台１０７、１１０を移動して原稿を走査するための光学モータ２０２、原稿面に光を照射するランプ１０５、原稿サイズ検知センサｌ１３、原稿台開閉センサ５０５、ＤＦ開閉センサ５０６、及びスキャナコントローラ２０３から構成される。スキャナコントローラ２０３は、ＣＣＤ１１２、光学モータ２０２、ランプ１０５の動作を制御し、これによってＡ／Ｄ変換回路２０１から出力されるデジタル信号を、あらかじめ設定されている所定値と比較して、原稿の主走査方向のサイズを検知し、また原稿サイズ検知センサ１１３からの出力に基づき副走査方向の原稿有無を検知し、これら２つの検知結果に基づいて、原稿サイズの判定を行う。また、スキャナコントローラ２０３は、原稿台開閉センサ５０５及びＤＦ開閉センサ５０６の各出力に基づき、原稿台の開閉状態を検知し、その検知結果により原稿サイズ検知処理の実行・不実行の処理を行う。スキャナコントローラ２０３において行われる処理の詳細については、図６及び図７を参照して後述する。
【００２４】
図３は、図１に示すスキャナ部を図１の上方向から見た状態を示す図である。
【００２５】
原稿台ガラス１０２の外周に原稿サイズラベル１０３を配置し、原稿台ガラス１０２の奥側基準突き当て部に原稿合わせマーク１０４を設け、定型サイズ原稿が原稿合わせマーク１０４を基準に載置されるようにする。
【００２６】
なお、原稿サイズ検知センサ１１３は、図３に示すように、原稿台ガラス１０２に横送り（原稿の長尺側が主走査方向に平行する向き）にセット可能な最大サイズ（原稿台ガラス１０２のサイズがＡ３縦送りに対応して形成されている図３の場合、Ａ４サイズ）の原稿の後端部位置よりも少しだけ後部に外れた位置で、原稿台ガラス１０２の上側に配置される。
【００２７】
次に、ＣＣＤ１１２及び原稿サイズ検知センサ１１３からの各出力に基づき、スキャナコントローラ２０３によって行われる原稿サイズの検出判定を、図４を参照して説明する。
【００２８】
図４は、ＣＣＤ１１２からの出力で得られる主走査方向の推定原稿サイズと、原稿サイズ検知センサ１１３からの出力で得られる副走査方向の推定原稿サイズとの組み合わせを示す図である。
【００２９】
スキャナコントローラ２０３では、ＣＣＤ１１２からの出力のみにより、検知対象の原稿のサイズが、４グループのうち、いずれかのグループに属するサイズとして認識できる。すなわち、Ｂ５Ｒ，Ｂ６の第１グループ、Ａ４Ｒ，Ａ５の第２グループ、Ｂ５，Ｂ４の第３グループ、Ａ４，Ａ３の第４グループとして識別できるが、各グループ内での区別はできない。しかし、原稿サイズ検知センサ１１３からの出力（原稿の有無）により、各グループ内での区別が可能となる。
【００３０】
例えば、ＣＣＤ１１２からの出力に基づき、検知対象の原稿のサイズが第４グループに属すると識別されたとき、原稿サイズ検知センサ１１３からの出力が原稿有りならば、検知対象の原稿が縦送りＡ３であると判定でき、原稿無しならば横送りＡ４であると判定できる。
【００３１】
図５は、図１に示すスキャナ部に自動原稿搬送装置（ＤＦ）５０４を装着した場合の構成を示す図である。
【００３２】
図中、原稿台開閉センサ５０５が原稿台の開閉を検知し、またＤＦ開閉センサ５０６が原稿台の完全閉状態を検知する。原稿台は、自動原稿搬送装置（ＤＦ）５０４の一部を構成し、自動原稿搬送装置（ＤＦ）５０４は、図５の左側を軸に回転して開閉できる。
【００３３】
また、図５において原稿の読み込みが左から右へと行われる場合、副走査方向の原稿スキャンを開始する場合の光学台１０７の加速位置であるＳＰ位置５０１、シェーディング補正が行われる位置であるホームポジション（ＨＰ）位置５０２、そして、主走査方向に沿って原稿の先端部の読み込みが行われるＯＲＧＳＮＳ位置５０３の３位置があり、これらの各位置に光学台１０７が移動され停止される。原稿サイズ検知を行う場合には、光学台１０７をＯＲＧＳＮＳ位置５０３位置まで移動される。光学台１０７の移動については、図６乃至図８を参照して後述する。
【００３４】
図６は、スキャナコントローラ２０３において行われる原稿読取に関する各種処理の手順を示すフローチャートである。
【００３５】
この処理の説明に先立ってまず、スキャナ部を構成する操作部について、図９及び図１０を参照して説明する。
【００３６】
図９及び図１０は、操作部の構成を示す図である。
【００３７】
図中、スタートキー８０２は、画像読み込みの開始を操作者が指示するためのキーである。読み込み領域指定キー８０４は、操作者が押すことで画面８００が図９から図１０のように切り替わる。その際、タッチセンサーである原稿読み込み領域指定キー１００１をタッチすることで、操作者が原稿サイズを手動で指定することができる。原稿サイズ検知スイッチ８０３では、操作者が繰返し押すことで、原稿サイズ検知の設定を「自動」、「検知しない」、「検知する」、「自動」と順次循環的に切り替えることができる。給紙段設定キー８０１は、タッチセンサーとなっており、操作者によるタッチで、給紙段（第１段、第２段）が設定される。なお、タッチされていない場合は用紙設定が「自動」の表示になり、設定がある場合は、設定された段に収納されている用紙サイズが表示される。
【００３８】
図６に戻って、ステップＳ１で、電源投入時に、光学台１０７をＨＰ位置５０２へ移動する。ＨＰ位置５０２への移動は、ＨＰ位置５０２に設置された不図示の光学台検出センサーが出力するＯＮ／ＯＦＦ信号によって、光学台１０７をＨＰ位置５０２へ移動する。そして、移動が終了したら、次のステップＳ２で、操作部のスタートキー８０２が押されたか否かを判別し、スタートキー８０２が押されたと判別された場合は、ステップＳ３へ進み、原稿スキャン処理を行ってから、ステップＳ２へ戻る。原稿スキャン処理については、図８を参照して後述する。
【００３９】
ステップＳ２で、操作部のスタートキー８０２が押されていないと判別された場合は、ステップＳ４へ進み、原稿台開閉センサ５０５の出力に基づき原稿台がオープン状態であるか否かを判別する。ステップＳ４において、原稿台が開いていないと判別された場合は、ステップＳ２に戻り、一方、原稿台が開いていると判別された場合は、ステップＳ５へ進み、光学台（スキャナユニット）１０７をＯＲＧＳＮＳ位置５０３へ移動させる。
【００４０】
そして、ステップＳ６で、操作部のスタートキー８０２が押されたか否かを判別し、スタートキー８０２が押されたと判別された場合は、ステップＳ７へ進んで原稿台開時の原稿サイズ検知処理を行い、更にステップＳ８で原稿スキャン処理を行い、ステップＳ２へ戻る。原稿台開時の原稿サイズ検知処理の詳細な内容については、図７を参照して後述する。また、原稿スキャン処理の詳細な内容については、図８を参照して後述する。
【００４１】
ステップＳ６で、操作部のスタートキー８０２が押されていないと判別された場合は、ステップＳ９へ進み、原稿台開閉センサ５０５の出力に基づき原稿台がクローズ状態であるか否かを判別する。ステップＳ９において、原稿台がまだ開いていると判別された場合は、ステップＳ６に戻り、一方、原稿台が閉じたと判別された場合は、ステップＳ１０へ進んでランプ１０５を点灯させる。そしてステップＳ１１で、ＣＣＤ１１２からの出力に基づき、原稿台に載置された原稿の幅を検出する。次にステップＳ１２で、ＤＦ開閉センサ５０６の出力に基づき、原稿台が完全に閉りきったか否かを判別する。完全に閉りきっていなければ、ステップＳ１１に戻り、完全に閉りきったならば、ステップＳ１３に進む。なお、タイムアウト時間を設けて該タイムアウト時間経過後は原稿台が閉まりきったとみなして、ステップＳ１３へ進むようにしてもよい。
【００４２】
ステップＳ１３では、ランプ１０５を消灯し、光学台（スキャンユニット）１０７をＨＰ位置５０２へ移動させ、その後ステップＳ２へ戻る。
【００４３】
図７は、図６に示すステップＳ７における原稿台開時の原稿サイズ検知処理について、その詳細な内容を示すフローチャートである。
【００４４】
まずステップＳ１０６で、読み込みサイズ設定があるか否かを判定する。すなわち、読み込み領域指定キー８０４さらに原稿読み込み領域指定キー１００１が操作者によって押され、これによって、読み込み対象の原稿のサイズが手動入力されているか否かを判別する。読み込み対象の原稿のサイズが手動入力されている場合は、原稿サイズの検出を行わずにステップＳ１０３へ進み、光学台（スキャナユニット）１０７をＨＰ位置５０２へ移動し、処理を図６のステップＳ８へ進める。
【００４５】
一方、ステップＳ１０６で、読み込み対象の原稿のサイズが手動入力されていないと判別された場合は、ステップＳ１００へ進む。ステップＳ１００では、原稿サイズ検知スイッチ８０３が「自動」に設定されているか否かを判別する。「自動」に設定されている場合、ステップＳ１０１へ進み、給紙段設定キー８０１を操作者が操作することにより、給紙段（第１段、第２段）が設定されているか否かを判別する。設定されていない場合、つまり用紙設定が「自動」の表示になっている場合、つまり給紙段の指定がない場合はステップＳ１０２へ進む。ステップＳ１０２においては、ランプ１０５の点灯を行い、ＣＣＤ１１２からの出力に基づき主走査方向の原稿スキャンを行い、原稿幅の情報を獲得する。そして、ステップＳ１０３へ進み、ランプ１０５を消灯し、光学台（スキャナユニット）１０７をＨＰ位置５０２へ移動し、処理を図６のステップＳ８へ進める。
【００４６】
なお、ステップＳ１０１で、給紙段設定キー８０１を操作者が操作することにより、給紙段（第１段、第２段）が設定されていると判別された場合、この場合には、設定された段に既に特定のサイズの用紙が収納されているので、原稿サイズの検知の必要性が本来無いことになる。したがって、原稿サイズの検知を行わず、ステップＳ１０３へ進む。
【００４７】
ステップＳ１００で、原稿サイズ検知スイッチ８０３が「自動」に設定されていないと判別された場合、ステップＳ１０４へ進み、原稿サイズ検知スイッチ８０３が「検知する」に設定されているか否かを判別する。「検知する」に設定されている場合、ステップＳ１０２へ進み、ランプ１０５の点灯を行い、ＣＣＤ１１２からの出力に基づき主走査方向の原稿スキャンを行い、原稿幅の情報を獲得する。
【００４８】
一方、ステップＳ１０４で、原稿サイズ検知スイッチ８０３が「検知する」に設定されていないと判別された場合、つまり原稿サイズ検知スイッチ８０３が「検知しない」に設定されていた場合、ステップＳ１０５に進み、図１０に示す画面８００において原稿読み込み領域指定キー１００１をタッチすることで、操作者が原稿サイズを手動で指定する。ステップＳ１０５の実行後、ステップＳ１０３へ進む。
【００４９】
図８は、図６に示すステップＳ３及びステップＳ８における原稿スキャン処理について、その詳細な内容を示すフローチャートである。
【００５０】
まずステップＳ２００で、ＨＰ位置５０２にあるシェーディング白板（図示せず）を用いてシェーディング補正を行う。その後ステップＳ２０１にて、光学台（スキャナユニット）１０７をＳＰ位置５０１へ移動する。
【００５１】
次にステップＳ２０２で、対象原稿の読み込みを行う。すなわち、前述したＣＣＤ１１２及び原稿サイズ検知センサ１１３からの各出力に基づき原稿サイズを決定する処理によるか、または操作者からの手動入力によるかして原稿サイズが既に分かっているので、その原稿サイズの副走査方向の長さ分だけ走査を行って、対象原稿の読み込みを行う。原稿スキャン終了を待ち（ステップＳ２０３）、処理をメイン（図６）に戻す。
【００５２】
図１１は、上述の画像読取装置（スキャナ）を包含するような画像形成装置の一実施の形態の全体構成を示す断面図である。画像形成装置はスキャナ部１１００及びプリンタ部１２００から構成される。
【００５３】
スキャナ部１１００では、自動原稿搬送装置１１０１上に積載された原稿が、１枚づつ順次原稿台ガラス面１１０２上に搬送される。原稿がガラス面１１０２の所定位置へ搬送されると、ランプ１１０３が点灯し、かつスキャナ・ユニット１１０４が移動して原稿を照明する。原稿の反射光は、ミラー１１０５、１１０６、１１０７、レンズ１１０８を介してＣＣＤイメージ・センサー部１１０９（以下ＣＣＤと称する）に入力する。ＣＣＤ１１０９に照射された原稿の反射光は、ここで光電変換される。変換された電気信号は、画像処理部１１１０へ送られる。画像処理部１１１０では、各種操作部で予め設定された画像処理が施され、プリンタ部１２００へ送られる。
【００５４】
プリンタ部１２００では、画像処理部１１１０から送られた電気信号が露光制御部１２０１にて光信号へ変換されて感光体１２０２を照射する。照射光によって感光体１２０２上に作られた潜像は現像器１２０３によって現像される。上記現像された像の先端位置とタイミングを合わせて転写紙積載部１２０４または転写紙積載部１２０５より転写紙が搬送され、転写部１２０６において、上記現像された像が転写される。転写された像は定着部１２０７にて転写紙に定着され、その後、排紙部１２０８より装置外部に排出される。排紙部１２０８から出力された転写紙は、ソータ１２２０で排出される。
【００５５】
なお、順次読み込んだ画像を１枚の出力用紙の両面に出力するには、定着部１２０７で片面の定着が行われた出力用紙を、一度、排紙部１２０８まで搬送後、用紙の搬送向きを反転して搬送方向切り換え部材１２０９を介して再給紙用被転写紙積載部１２１０に搬送する。次の原稿が準備されると、上記プロセスと同様にして原稿画像が読み取られるが、転写紙については再給紙用被転写紙積載部１２１０より給紙されるので、結局、同一出力紙の表面、裏面に２枚の原稿画像を出力することができる。
【００５６】
なおまた、前述した実施形態の機能を実現するソフトウェアのプログラムコードを記憶した記憶媒体を、システムあるいは装置に供給し、そのシステムあるいは装置のコンピュータ（またはＣＰＵやＭＰＵ）が記憶媒体に格納されたプログラムコードを読み出して実行することによっても、本発明が達成されることは言うまでもない。
【００５７】
この場合、記憶媒体から読み出されたプログラムコード自体が、前述の実施形態の機能を実現することになり、そのプログラムコードを記憶した記憶媒体が本発明を構成することになる。
【００５８】
プログラムコードを供給するための記憶媒体として、例えば、フロッピィディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００５９】
また、コンピュータが読み出したプログラムコードを実行することにより、前述した実施形態の機能が実現されるだけでなく、そのプログラムコードの指示に基づき、コンピュータ上で稼働しているＯＳなどが実際の処理の一部または全部を行い、その処理によって前述した実施形態の機能が実現される場合も、本発明に含まれることは言うまでもない。
【００６０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も、本発明に含まれることは言うまでもない。
【００６１】
【発明の効果】
以上詳述したように本発明によれば、原稿台カバーが開いている状態で操作部から開始指示がなされた場合に、操作部から給紙部設定がなされていなければ光源を点灯させて画像読込手段の出力に基づいた原稿サイズ検知を行って原稿台上の原稿の読み込みを行わせ、操作部から給紙部設定がなされていれば原稿サイズ検知を行わずに原稿台上の原稿の読み込みを行わせるので、原稿台カバーが開いている状態で原稿サイズ検知を可能としつつ、原稿サイズ検知が不要な場合には、開始指示から原稿の読み込み開始までの時間を短縮することができる。
【図面の簡単な説明】
【図１】本発明に係る画像読取装置（スキャナ）の構成を示す断面模式図である。
【図２】スキャナ部の動作制御を行う制御部の構成を示すブロック図である。
【図３】図１に示すスキャナ部を図１の上方向から見た状態を示す図である。
【図４】ＣＣＤからの出力で得られる主走査方向の推定原稿サイズと、原稿サイズ検知センサからの出力で得られる副走査方向の推定原稿サイズとの組み合わせを示す図である。
【図５】図１に示すスキャナ部に自動原稿搬送装置（ＤＦ）を装着した場合の構成を示す図である。
【図６】スキャナコントローラにおいて行われる原稿読取に関する各種処理の手順を示すフローチャートである。
【図７】図６に示すステップＳ７における原稿台開時の原稿サイズ検知処理について、その詳細な内容を示すフローチャートである。
【図８】図６に示すステップＳ３及びステップＳ８における原稿スキャン処理について、その詳細な内容を示すフローチャートである。
【図９】操作部の構成を示す図である。
【図１０】操作部の構成を示す図である。
【図１１】画像読取装置（スキャナ）を包含するような画像形成装置の一実施の形態の全体構成を示す断面図である。
【符号の説明】
１０１  原稿
１０２  原稿台ガラス
１０５  ランプ
１０６  ミラー
１０７  光学台（画像読込手段）
１０８  ミラー
１０９  ミラー
１１０  光学台
１１１  レンズ
１１２  光電変換素子（画像読込手段）
１１３  原稿サイズ検知センサ
１１４  筐体
２０１  Ａ／Ｄ変換回路
２０２  光学モータ
２０３  スキャナコントローラ
５０４  自動原稿搬送装置（原稿台カバー）
５０５  原稿台開閉センサ
５０６  ＤＦ開閉センサ
８０１  給紙段設定キー
８０２  スタートキー
【図１】
0004481422.tif 000002
【図２】
0004481422.tif 000003
【図３】
0004481422.tif 000004
【図４】
0004481422.tif 000005
【図５】
0004481422.tif 000006
【図６】
0004481422.tif 000007
【図７】
0004481422.tif 000008
【図８】
0004481422.tif 000009
【図９】
0004481422.tif 000010
【図１０】
0004481422.tif 000011
【図１１】
0004481422.tif 000012